(57)【要約】【課題】受信信号に含まれるデータを適切に取得することが可能な技術を提供する。【解決手段】受信処理部は、アンテナで受信される受信信号に含まれる、第１無線通信方式で送信される第１データを取得する第１処理を実行する。受信処理部は、受信信号に含まれる、第２無線通信方式で送信される第２データを取得する第２処理を実行する。受信処理部は、第１処理を実行しているときに、間欠的に、第１処理の代わりに第２処理を実行する受信処理を行う。受信処理部は、動作モードとして、受信処理において第２データを取得できないときに、第１処理の実行を停止して、第２無線通信方式で送信される信号をサーチするサーチ処理を実行する第１動作モードと、受信処理において第２データを取得できないときに、サーチ処理を実行せずに受信処理を継続する第２動作モードとを備える。【選択図】図３
2016158139.tif 000002
【特許請求の範囲】
【請求項１】
第１無線通信方式に応じた通信と、第２無線通信方式に応じた通信とを行う無線通信装置であって、
第１アンテナと、
前記第１アンテナで受信される第１受信信号に含まれる、前記第１無線通信方式で送信される第１データを取得する第１処理と、前記第１受信信号に含まれる、前記第２無線通信方式で送信される第２データを取得する第２処理とを実行する受信処理部と
を備え、
前記受信処理部は、前記第１処理を実行しているときに、間欠的に、前記第１処理の代わりに前記第２処理を実行する受信処理を行い、
前記受信処理部は、動作モードとして、
前記受信処理において前記第２データを取得できないときに、前記第１処理の実行を停止して、前記第２無線通信方式で送信される信号をサーチするサーチ処理を実行する第１動作モードと、
前記受信処理において前記第２データを取得できないときに、前記サーチ処理を実行せずに前記受信処理を継続する第２動作モードと
を備える、無線通信装置。
【請求項２】
請求項１に記載の無線通信装置であって、
前記受信処理部は、前記受信信号に含まれる、前記第１無線通信方式で送信される所定の種類のデータを取得する際には、前記第２動作モードで動作する、無線通信装置。
【請求項３】
請求項１に記載の無線通信装置であって、
前記受信処理部は、ユーザによって選択される前記動作モードで動作する、無線通信装置。
【請求項４】
請求項３に記載の無線通信装置であって、
ユーザが前記動作モードを選択するための選択画面を表示する表示部をさらに備える、無線通信装置。
【請求項５】
請求項４に記載の無線通信装置であって、
前記表示部は、前記受信処理部が、前記受信信号に含まれる、前記第１無線通信方式で送信される所定の種類のデータを取得する際に、前記選択画面を表示する、無線通信装置。
【請求項６】
請求項２及び請求項５のいずれか一つに記載の無線通信装置であって、
前記所定の種類のデータには、再送制御されないデータが含まれる、無線通信装置。
【請求項７】
請求項２、請求項５及び請求項６のいずれか一つに記載の無線通信装置であって、
前記所定の種類のデータには、データ量がしきい値以上あるいはしきい値よりも大きいデータが含まれる、無線通信装置。
【請求項８】
請求項２及び請求項５のいずれか一つに記載の無線通信装置であって、
前記所定の種類のデータは、ユーザによって指定される、無線通信装置。
【請求項９】
請求項１乃至請求項８のいずれか一つに記載の無線通信装置であって、
前記受信処理部は、前記サーチ処理の終了後、前記受信処理を再開する、無線通信装置。
【請求項１０】
請求項１乃至請求項９のいずれか一つに記載の無線通信装置であって、
第２アンテナを備え、
前記受信処理部は、前記第２アンテナで受信される第２受信信号に含まれる、前記第１無線通信方式で送信される第３データを取得する第３処理を実行し、
前記受信処理部は、前記受信処理を行うときには前記第１処理の実行中に前記第３処理を実行し、前記サーチ処理の実行中に前記第３処理を実行しない、無線通信装置。
【請求項１１】
アンテナを備え、第１無線通信方式に応じた通信と、第２無線通信方式に応じた通信とを行う無線通信装置の動作方法であって、
前記アンテナで受信される受信信号に含まれる、前記第１無線通信方式で送信される第１データを取得する第１処理を実行しているときに、間欠的に、前記第１処理の代わりに、前記受信信号に含まれる、前記第２無線通信方式で送信される第２データを取得する第２処理を実行する受信処理において、前記第２データを取得できないときに、前記第１処理の実行を停止して、前記第２無線通信方式で送信される信号をサーチするサーチ処理を実行する第１工程と、
前記受信処理において、前記第２データを取得できないときに、前記サーチ処理を実行せずに前記受信処理を継続する第２工程と
を備える、無線通信装置の動作方法。
【発明の詳細な説明】
【技術分野】
【０００１】
本発明は、無線通信技術に関する。
【背景技術】
【０００２】
特許文献１に記載されているように、従来から無線通信に関して様々な技術が提案されている。
【先行技術文献】
【特許文献】
【０００３】
【特許文献１】特開２００４−１８７００２号公報
【発明の概要】
【発明が解決しようとする課題】
【０００４】
無線通信装置では、受信信号に含まれるデータを適切に取得することが望まれる。
【０００５】
そこで、本発明は上述の点に鑑みて成されたものであり、受信信号に含まれるデータを適切に取得することが可能な技術を提供することを目的とする。
【課題を解決するための手段】
【０００６】
無線通信装置及び無線通信装置の動作方法が開示される。一の実施の形態では、無線通信装置は、第１無線通信方式に応じた通信と、第２無線通信方式に応じた通信とを行う。無線通信装置は、第１アンテナ及び受信処理部を備える。受信処理部は、第１アンテナで受信される第１受信信号に含まれる、第１無線通信方式で送信される第１データを取得する第１処理を実行する。受信処理部は、第１受信信号に含まれる、第２無線通信方式で送信される第２データを取得する第２処理を実行する。受信処理部は、第１処理を実行しているときに、間欠的に、第１処理の代わりに第２処理を実行する受信処理を行う。受信処理部は、動作モードとして、受信処理において第２データを取得できないときに、第１処理の実行を停止して、第２無線通信方式で送信される信号をサーチするサーチ処理を実行する第１動作モードと、受信処理において第２データを取得できないときに、サーチ処理を実行せずに受信処理を継続する第２動作モードとを備える。
【０００７】
また、一の実施の形態では、無線通信装置の動作方法は、アンテナを備え、第１無線通信方式に応じた通信と、第２無線通信方式に応じた通信とを行う無線通信装置の動作方法である。無線通信装置の動作方法は、第１及び第２工程を備える。第１工程は、アンテナで受信される受信信号に含まれる、第１無線通信方式で送信される第１データを取得する第１処理を実行しているときに、間欠的に、第１処理の代わりに、受信信号に含まれる、前記第２無線通信方式で送信される第２データを取得する第２処理を実行する受信処理において、第２データを取得できないときに、第１処理の実行を停止して、第２無線通信方式で送信される信号をサーチするサーチ処理を実行する工程である。第２工程は、受信処理において、第２データを取得できないときに、サーチ処理を実行せずに受信処理を継続する工程である。
【発明の効果】
【０００８】
受信信号に含まれる、第１無線通信方式で送信されるデータを適切に取得することができる。
【図面の簡単な説明】
【０００９】
【図１】無線通信システムの構成を示す図である。
【図２】無線通信装置の構成を示す図である。
【図３】制御部の構成を示す図である。
【図４】間欠受信処理（低）を示す図である。
【図５】間欠受信処理（高）を示す図である。
【図６】第１動作を示す図である。
【図７】第１動作を示す図である。
【図８】第２動作を示す図である。
【図９】第２動作を示す図である。
【図１０】選択画面の一例を示す図である。
【図１１】無線通信装置の動作を示すフローチャートである。
【図１２】指定画面の一例を示す図である。
【図１３】無線通信装置の動作を示すフローチャートである。
【発明を実施するための形態】
【００１０】
図１は実施の形態に係る無線通信装置１を備える無線通信システム１００の構成を示す図である。本実施の形態に係る無線通信装置１は、例えば、スマートフォン等の携帯電話機である。図１に示されるように、無線通信装置１は基地局２と無線通信を行うことが可能である。基地局２は、インターネット等のネットワーク３に接続されている。無線通信装置１は、ネットワーク３に接続されているサーバ装置４等と、基地局２及びネットワーク３を通じて通信することが可能である。
【００１１】
無線通信装置１は、複数種類の無線通信方式に応じた通信を行うことが可能である。無線通信装置１は、例えばＳＲＬＴＥ（Single Radio Long Term Evolution）に対応しており、ＬＴＥに応じた通信と、ＣＤＭＡ（Code Division Multiple Access）２０００ １ｘに応じた通信とを行うことができる。以後、ＣＤＭＡ２０００ １ｘを単に「１ｘ」と呼ぶことがある。また、ＬＴＥに応じた通信を「ＬＴＥ通信」と呼び、１ｘに応じた通信を「１ｘ通信」と呼ぶことがある。
【００１２】
なお、図１では基地局２が１つだけしか示されていないが、基地局２としては、ＬＴＥ通信と１ｘ通信の両方が可能な基地局２と、ＬＴＥ通信のみ可能な基地局２と、１ｘ通信のみ可能な基地局２とが存在する。無線通信装置１は、これらの３種類の基地局２と通信可能である。
【００１３】
図２は無線通信装置１の構成を示す図である。図２に示されるように、無線通信装置１は、制御部１０と、無線通信部１１と、タッチパネル１２と、表示部１３と、マイク１４と、スピーカ１５とを備えている。
【００１４】
制御部１０は、無線通信装置１での他の構成要素を制御して、無線通信装置１の動作を統括的に管理することが可能である。制御部１０は、一種のデジタル処理回路であり、ＣＰＵ（Central Processing Unit）、ＤＳＰ（Digital Signal Processor）、記憶部及び各種デジタル回路を備えている。制御部１０の記憶部は、ＲＯＭ(Read-Only-Memory)及びＲＡＭ(Random-Access-Memory)等で構成されている。制御部１０の各種機能は、ＣＰＵ及びＤＳＰが記憶部内の各種プログラムを実行することによって実現される。
【００１５】
無線通信部１１は複数のアンテナを有している。本実施の形態では、無線通信部１１は、例えば２つのアンテナ１１０ａ，１１０ｂを有している。無線通信部１１は、アンテナ１１０ａ，１１０ｂを用いて、基地局２と無線通信を行うことが可能である。本実施の形態では、無線通信装置１が受信処理を行う際には２つのアンテナ１１０ａ，１１０ｂが使用される。一方で、無線通信装置１が送信処理を行う際には２つのアンテナ１１０ａ，１１０ｂの一方が使用される。
【００１６】
無線通信部１１は、複数のアンテナ１１０ａ，１１０ｂでそれぞれ受信された複数の受信信号に対して増幅処理及びダウンコンバート等を行って、アナログ形式の複数のベースバンド受信信号を生成することが可能である。そして、無線通信部１１は、生成した複数のアナログ形式のベースバンド受信信号をデジタル形式の複数のベースバンド受信信号にそれぞれ変換して制御部１０に出力することが可能である。制御部１０は、入力される複数のデジタル形式のベースバンド受信信号のそれぞれに対して各種デジタル信号処理を行って、当該ベースバンド受信信号に含まれる、ユーザデータ及び制御データ等を取得することが可能である。
【００１７】
また無線通信部１１は、制御部１０で生成された、ユーザデータ及び制御データ等を含む、デジタル形式のベースバンド送信信号をアナログ形式のベースバンド送信信号に変換することが可能である。無線通信部１１は、生成したアナログ形式のベースバンド送信信号に対してアップコンバート及び増幅処理等を行って、搬送帯域の送信信号を生成することが可能である。無線通信部１１は、生成した搬送帯域の送信信号をアンテナ１１０ａ，１１０ｂの一方から無線送信することが可能である。以後、アンテナ１１０ａ，１１０ｂを特に区別する必要がない場合には、それぞれを「アンテナ１１０」と呼ぶ。
【００１８】
表示部１３は、例えば、液晶表示部あるいは有機ＥＬパネルを有している。表示部１３は、制御部１０によって制御されることによって、文字、記号、図形などの各種情報を表示することが可能である。タッチパネル１２は、例えば、投影型静電容量方式のタッチパネルである。タッチパネル１２は、表示部１３の表示面に対する指等の操作子による操作を検出することが可能である。ユーザが指等の操作子によって表示部１３の表示面に対して操作を行ったとき、その操作に応じた電気信号がタッチパネル１２から制御部１０に入力される。制御部１０は、タッチパネル１２からの電気信号に基づいて、表示部１３の表示面に対して行われた操作の内容を特定して、その内容に応じた処理を行うことが可能である。
【００１９】
マイク１４は、無線通信装置１の外部から入力される音を電気的な音信号に変換して制御部１０に出力することが可能である。スピーカ１５は、制御部１０からの電気的な音信号を音に変換して、無線通信装置１の外部に出力することが可能である。
【００２０】
図３は制御部１０の一部の構成を示す図である。図３に示されるように、制御部１０は、機能ブロックとして、受信処理部１２０及び送信処理部２１を備えている。受信処理部１２０は、第１受信処理部２０ａ及び第２受信処理部２０ｂを備えている。
【００２１】
上述のように、無線通信部１１は、アンテナ１１０ａで受信される受信信号を、デジタル形式のベースバンド受信信号に変換する。このベースバンド受信信号を「受信信号３０ａ」と呼ぶ。また、無線通信部１１は、アンテナ１１０ｂで受信される受信信号を、デジタル形式のベースバンド受信信号に変換してする。このベースバンド受信信号を「受信信号３０ｂ」と呼ぶ。
【００２２】
第１受信処理部２０ａは、無線通信部１１から出力される受信信号３０ａに対して、復調処理等の各種デジタル信号処理を行って、当該受信信号３０ａに含まれるデータ及び既知信号等を取得する。第２受信処理部２０ｂは、無線通信部１１から出力される受信信号３０ｂに対して、復調処理等の各種デジタル信号処理を行って、当該受信信号３０ｂに含まれるデータ及び既知信号等を取得する。送信処理部２１は、変調処理等の各種デジタル信号処理を使用して、データ等を含むベースバンド送信信号を生成して、無線通信部１１に出力する。
【００２３】
以後、第１受信処理部２０ａ及び第２受信処理部２０ｂを特に区別する必要が無い場合には、それぞれを「受信処理部２０」と呼ぶ。また、受信信号３０ａ，３０ｂを特に区別する必要が無い場合には、それぞれを「受信信号３０」と呼ぶ。
【００２４】
各受信処理部２０は、アンテナ１１０で受信される受信信号に含まれる、ＬＴＥで送信されるデータを取得する処理と、当該受信信号に含まれる、１ｘで送信されるデータを取得する処理と実行することが可能である。前者の処理を「ＬＴＥ受信処理」と呼び、後者の処理を「１ｘ受信処理」と呼ぶ。また、ＬＴＥで送信されるデータを「ＬＴＥデータ」と呼び、１ｘで送信されるデータを「１ｘデータ」と呼ぶ。
【００２５】
ＬＴＥ受信処理において、受信処理部２０は、入力される受信信号３０に対して、ＬＴＥに応じたデジタル信号処理を行って、当該受信信号３０に含まれるＬＴＥデータを取得する。ＬＴＥデータを含む受信信号３０は、ＯＦＤＭ（Orthogonal Frequency Division Multiplexing）信号であることから、ＬＴＥ受信処理では、受信信号３０に対して離散フーリエ変換（DFT：Discrete Fourier Transform）等が行われる。
【００２６】
また、１ｘ受信処理において、受信処理部２０は、入力される受信信号３０に対して、１ｘに応じたデジタル信号処理を行って、当該受信信号３０に含まれる１ｘデータを取得する。１ｘデータを含む受信信号３０は、スペクトラム拡散されていることから、１ｘ受信処理では、受信信号３０に対して拡散符号の乗算（逆拡散処理）等が行われる。
【００２７】
本実施の形態では、ＬＴＥ受信処理は、アンテナ１１０で受信される受信信号に含まれるＬＴＥデータを取得しようとする処理である。つまり、ＬＴＥ受信処理は、受信信号３０に含まれるＬＴＥデータを取得するために、当該受信信号３０に対してＬＴＥに応じた、復調処理等を含むデジタル受信処理を行う処理である。したがって、無線通信装置１とＬＴＥ通信可能な基地局２との間の伝送路の状況が悪い場合、あるいは無線通信装置１がＬＴＥ通信の圏外に存在する場合などにおいては、受信処理部２０は、ＬＴＥ受信処理を行ったとしても、ＬＴＥデータが取得できないことがある。
【００２８】
同様に、１ｘ受信処理は、アンテナ１１０で受信される受信信号に含まれる１ｘデータを取得しようとする処理である。つまり、１ｘ受信処理は、受信信号３０に含まれる１ｘデータを取得するために、当該受信信号３０に対して１ｘに応じたデジタル受信処理を行う処理である。したがって、無線通信装置１と１ｘ通信可能な基地局２との間の伝送路の状況が悪い場合、あるいは無線通信装置１が１ｘ通信の圏外に存在する場合などにおいては、受信処理部２０は、１ｘ受信処理を行ったとしても、１ｘデータが取得できないことがある。
【００２９】
送信処理部２１は、無線通信装置１がＬＴＥに応じた送信を行う際には、逆離散フーリエ変換（IDFT：Inverse DFT）等を使用して、ＬＴＥに応じた送信信号（ＯＦＤＭ信号）を生成して無線通信部１１に出力する。また、送信処理部２１は、無線通信装置１が１ｘに応じた送信を行う際には、１ｘに応じた送信信号（スペクトラム拡散された信号）を生成して無線通信部１１に出力する。
【００３０】
以上のような構成を有する無線通信装置１は、データ通信及び音声通信を行う。具体的には、無線通信装置１は、基地局２及びネットワーク３を通じて、ネットワーク３に接続されたサーバ装置４等とデータ通信を行う。また、無線通信装置１は、基地局２及びネットワーク３を通じて、他の携帯電話機とデータ通信を行う。さらに、無線通信装置１は、基地局２及びネットワーク３を通じて、他の携帯電話機と、マイク１４及びスピーカ１５等を利用して音声通信を行う。本実施の形態に係る無線通信システム１００では、データ通信では、ＬＴＥ及び１ｘの両方が使用可能である。一方で、音声通信では、ＬＴＥ及び１ｘのうち１ｘだけが使用可能である。無線通信装置１は、基地局２がＭＩＭＯ（Multi-Input Multi-Output）方式を用いて信号を送信する場合には、当該基地局２からの信号を、２つのアンテナ１１０ａ，１１０ｂを使用して受信する。また、無線通信装置１は、音声通信の着呼が無いときにデータ通信を行う際に、ＬＴＥ通信及び１ｘ通信の両方の圏内に存在する場合には、ＬＴＥを使用して通信を行う。
【００３１】
＜無線通信装置の受信処理について＞
本実施の形態では、無線通信装置１は、音声通信を行っていない場合であって、２つのアンテナ１１０ａ，１１０ｂを使用してＬＴＥに応じた受信を行う場合には、音声通話での他の携帯電話機からの呼び出しを通知するための着呼通知を受信するために、一方のアンテナ１１０を使用して間欠的に１ｘに応じた受信を行う。具体的には、無線通信装置１では、第１受信処理部２０ａ及び第２受信処理部２０ｂがＬＴＥ受信処理を行っている場合に、一方の受信処理部２０は、間欠的に、ＬＴＥ受信処理の代わりに１ｘ受信処理を行う。以後、この処理を「間欠受信処理」と呼ぶ。以下に、間欠受信処理について詳細に説明する。
【００３２】
＜間欠受信処理の詳細＞
本実施の形態では、一方のアンテナ１１０の受信感度が、他方のアンテナ１１０の受信感度よりも高く設定されている。以下の説明では、一例として、アンテナ１１０ａの受信感度がアンテナ１１０ｂ感度よりも高く設定されているものとする。以後、アンテナ１１０ａ，１１０ｂを、それぞれ「高感度アンテナ１１０ａ」及び「低感度アンテナ１１０ｂ」と呼ぶことがある。
【００３３】
無線通信装置１が通信可能な基地局２は、音声通話のためのページング信号を定期的に送信する。基地局２は、音声通話での無線通信装置１に対する呼び出しがある場合には、無線通信装置１宛ての着呼通知を示すデータ（以後、「着呼通知データ」と呼ぶ）を含むページング信号を送信する。無線通信装置１は、それに接続されている基地局２がページング信号を送信する送信周期を把握している。間欠受信処理では、定期的に送信されるページング信号に対して受信処理を行うために、一方の受信処理部２０が、ページング信号の送信周期に同期して１ｘ受信処理を間欠的に行う。つまり、間欠受信処理では、一方の受信処理部２０は、基地局２からページング信号が送信されるタイミングに１ｘ受信処理を行う。
【００３４】
また本実施の形態に係る間欠受信処理では、１ｘで送信される信号（以後、「１ｘ信号」と呼ぶことがある）の受信強度に応じて、１ｘ受信処理を行う受信処理部２０が変化するようになっている。具体的には、１ｘ信号の受信強度が高い場合には、低感度アンテナ１１０ｂでの受信信号を処理する第２受信処理部２０ｂが間欠的に１ｘ受信処理を行う。一方で、１ｘ信号の受信強度が低い場合には、高感度アンテナ１１０ａでの受信信号を処理する第１受信処理部２０ａが間欠的に１ｘ受信処理を行う。以後、１ｘ信号の受信強度が高い場合の間欠受信処理を「間欠受信処理（高）」と呼ぶことがある。また、ページング信号の受信強度が低い場合の間欠受信処理を「間欠受信処理（低）」と呼ぶことがある。
【００３５】
図４は間欠受信処理（低）を示す図であって、図５は間欠受信処理（高）を示す図である。図４，５では、ＬＴＥ受信処理が行われている期間および１ｘ受信処理が行われている期間が横実線で示されている。
【００３６】
図４，５に示されるように、間欠受信処理では、基本的には、各受信処理部２０がＬＴＥ受信処理を行う。図４に示されるように、間欠受信処理（低）では、高感度アンテナ１１０ａに対応する第１受信処理部２０ａは、ＬＴＥ受信処理を行っているときに、間欠的に、ＬＴＥ受信処理の代わりに１ｘ受信処理を行う。つまり、第１受信処理部２０ａは、ＬＴＥ受信処理と１ｘ受信処理とを交互に行う。一方で、低感度アンテナ１１０ｂに対応する第２受信処理部２０ｂは、基本的には連続してＬＴＥ受信処理を行い、第１受信処理部２０ａが１ｘ受信処理を行う期間だけ、ＬＴＥ受信処理及び１ｘ受信処理の両方を行わない。間欠受信処理（低）では、低感度アンテナ１１０ｂはＬＴＥに応じた受信だけに使用され、高感度アンテナ１１０ａは、ＬＴＥに応じた受信と１ｘに応じた受信とで共用される。
【００３７】
これに対して、間欠受信処理（高）では、図５に示されるように、高感度アンテナ１１０ａに対応する第１受信処理部２０ａは連続的にＬＴＥ受信処理を行う。そして、低感度アンテナ１１０ｂに対応する第２受信処理部２０ｂは、ＬＴＥ受信処理を行っているときに、間欠的に、ＬＴＥ受信処理の代わりに１ｘ受信処理を行う。間欠受信処理（高）では、高感度アンテナ１１０ａはＬＴＥに応じた受信だけに使用され、低感度アンテナ１１０ｂは、ＬＴＥに応じた受信と１ｘに応じた受信とで共用される。
【００３８】
間欠受信処理での１ｘ受信処理の実行間隔（実行周期）Ｐは、例えば数秒である。また間欠受信処理での１ｘ受信処理の実行期間Ｔは、例えば数十ｍｓである。
【００３９】
間欠受信処理において、１ｘ受信処理を間欠的に行う受信処理部２０が、それに対応するアンテナ１１０が受信するペーシング信号から、無線通信装置１宛ての着呼通知データを取得すると、各受信処理部２０はＬＴＥ受信処理を中断し（間欠受信処理が終了）、無線通信装置１は２つのアンテナ１１０，１１０ｂの両方を使用して１ｘ通信を行って一連の着呼処理を開始する。一連の着呼処理が終了すると、制御部１０が表示部１３等を制御することによって、他の携帯電話機からの呼び出しがある旨がユーザに通知される。ユーザが、表示部１３の表示面を操作して、他の携帯電話機からの呼び出しに応答する応答操作を行うと、無線通信装置１は通話状態となって音声通信を行う。一方で、１ｘ受信処理を間欠的に行う受信処理部２０は、それに対応するアンテナ１１０が受信するペーシング信号から、無線通信装置１と別の携帯電話機宛ての着呼通知データを取得した場合は、当該着呼通知データを破棄する。
【００４０】
本実施の形態では、受信処理部１２０は、無線通信部１１から出力される受信信号３０に基づいて、アンテナ１１０で受信される１ｘ信号の受信強度を求める。そして、受信処理部１２０は、１ｘ信号の受信強度がしきい値よりも大きい場合には、間欠受信処理（高）を行う。一方で、受信処理部１２０は、１ｘ信号の受信強度がしきい値以下の場合には、間欠受信処理（低）を行う。受信処理部１２０は、間欠受信処理を行っている場合にも１ｘ信号の受信強度を求める。そして、受信処理部１２０は、１ｘ信号の受信強度に応じて、間欠受信処理（高）から間欠受信処理（低）に切り替えたり、間欠受信処理（低）から間欠受信処理（高）に切り替えたりすることができる。
【００４１】
＜１ｘ信号のサーチ処理について＞
１ｘ信号の受信強度が非常に小さい場合、あるいは無線通信装置１とその接続先の基地局２との間の伝送路の状況が悪化した場合などにおいては、間欠受信処理を行う無線通信装置１はページング信号を検出できないことがある。つまり、間欠受信処理を行う受信処理部１２０は、１ｘ受信処理を行ったとしても、受信信号から、着呼通知データ等の１ｘデータを取得できないことがある。本実施の形態では、間欠受信処理を行う受信処理部１２０は、１ｘ受信処理において１ｘデータを取得できない場合には（１ｘ信号を検出できない場合には）、１ｘ信号をサーチするサーチ処理（以後、「１ｘサーチ処理」と呼ぶ）を行うことが可能である。以下に、１ｘサーチ処理について詳細に説明する。
【００４２】
図６は、間欠受信処理（低）を行う受信処理部１２０が１ｘサーチ処理を行う様子を示す図である。図７は、間欠受信処理（高）を行う受信処理部１２０が１ｘサーチ処理を行う様子を示す図である。
【００４３】
図６，７に示されるように、本実施の形態では、１ｘサーチ処理は、常に、高感度アンテナ１１０ａに対応する第１受信処理部２０ａで行われる。図６に示されるように、間欠受信処理（低）において、第１受信処理部２０ａは、１ｘ受信処理の結果、１ｘデータを取得できないときには、１ｘ信号が検出できないと判断して、１ｘサーチ処理を行う。１ｘサーチ処理では、受信処理部２０は、受信信号３０から取得する信号の周波数成分を変化させたり、１ｘ受信処理で使用する拡散符号を変化させたりして、１ｘ信号をサーチする。１ｘサーチ処理は、無線通信装置１と接続可能な、１ｘ通信を行う基地局２をサーチするセルサーチであるとも言える。
【００４４】
第１受信処理部２０ａが１ｘサーチ処理を行っている間は、第２受信処理部２０ｂは、ＬＴＥ受信処理及び１ｘ受信処理の両方を行わない。第１受信処理部２０ａが、１ｘサーチ処理において１ｘ信号を検出し、１ｘデータが取得できるようになると、受信処理部１２０は間欠受信処理（低）を再開する。なお、１ｘサーチ処理において検出された１ｘ信号の受信強度がしきい値よりも大きい場合には、１ｘサーチ処理終了後、受信処理部１２０は、間欠受信処理（低）を再開する代わりに間欠受信処理（高）を実行する。また、１ｘサーチ処理の結果、無線通信装置１の接続先の基地局２が変化した場合には、１ｘサーチ処理開始前と１ｘサーチ処理終了後との間で、１ｘ受信処理の実行間隔Ｐが異なったり、１ｘ受信処理の実行期間Ｔが異なったりすることがある。
【００４５】
これに対して、図７に示されるように、間欠受信処理（高）において、１ｘ受信処理を間欠的に行う第２受信処理部２０ｂが、１ｘ受信処理の結果、１ｘ信号を検出できずに１ｘデータを取得できないときには、第１受信処理部２０ａが１ｘサーチ処理を行う。第１受信処理部２０ａが１ｘサーチ処理を行っている間は、第２受信処理部２０ｂは、ＬＴＥ受信処理及び１ｘ受信処理の両方を行わない。第１受信処理部２０ａが、１ｘサーチ処理において１ｘ信号を検出し、１ｘデータを取得できるようになると、受信処理部１２０は、間欠受信処理（高）を再開する。なお、１ｘサーチ処理において検出された１ｘ信号の受信強度がしきい値以下の場合には、１ｘサーチ処理終了後、受信処理部１２０は、間欠受信処理（高）を再開する代わりに間欠受信処理（低）を実行する。
【００４６】
このように、第１受信処理部２０ａでは、１ｘサーチ処理が実行されている間は、ＬＴＥ受信処理が行われない。さらに、第１受信処理部２０ａが１ｘサーチ処理を実行している間は、第２受信処理部２０ｂはＬＴＥ受信処理を行わない。したがって、受信処理部１２０は、１ｘサーチ処理を実行している間は、ＬＴＥデータを取得することができず、ＬＴＥ通信の性能が低下する。
【００４７】
そこで、本実施の形態では、受信処理部１２０は、動作モードとして、間欠受信処理において１ｘデータが取得できない場合に（１ｘ信号を検出できない場合に）、上記の図６，７のように１ｘサーチ処理を実行する第１動作モードと、間欠受信処理において１ｘデータが取得できない場合に、１ｘサーチ処理を実行せずに間欠受信処理を継続する第２動作モードとを備えている。受信処理部１２０が第２動作モードで動作することにより、受信処理部１２０は適切にＬＴＥデータを取得することでき、ＬＴＥ通信の性能が向上する。
【００４８】
図８，９は、第２動作モードを説明するための図である。図８は、間欠受信処理（低）において１ｘデータが取得できない場合に、１ｘサーチ処理を実行せずに間欠受信処理（低）を継続する第２動作モードを示す図である。図９は、間欠受信処理（高）において１ｘデータが取得できない場合に、１ｘサーチ処理を実行せずに間欠受信処理（高）を継続する第２動作モードを示す図である。
【００４９】
図８に示されるように、第２動作モードでは、間欠受信処理（低）において、第１受信処理部２０ａが１ｘ受信処理の結果、１ｘデータを取得できない場合であっても、１ｘサーチ処理は実行されずに、間欠受信処理（低）が維持されている。また図９に示されるように、間欠受信処理（高）において、第２受信処理部２０ｂが１ｘ受信処理の結果、１ｘデータを取得できない場合であっても、１ｘサーチ処理は実行されずに、間欠受信処理（高）が維持されている。
【００５０】
このように、本実施の形態では、受信処理部１２０は、動作モードとして、１ｘサーチ処理が実行される第１動作モード（図６，７）と、１ｘサーチ処理が実行されない第２動作モード（図８，９）を有する。したがって、受信処理部１２０が第２動作モードで動作することにより、受信処理部１２０は適切にＬＴＥデータを取得することできる。よって、無線通信装置１のデータ通信性能が向上する。
【００５１】
なお、受信処理部１２０が、第２動作モードで動作しているときに、つまり、間欠受信処理において１ｘデータが取得できないにもかかわらず（１ｘ信号が検出できないにもかかわらず）１ｘサーチ処理を実行せずに間欠受信処理を継続しているときに、他の携帯電話機から無線通信装置１に対して音声通信での呼び出しが行われることがある。この場合には、受信処理部１２０が第２動作モードを終了し、１ｘ信号を検出できるようになった後、無線通信装置１の接続先の基地局２から不在着信を示すデータ（以後、「不在着信データ」と呼ぶ）が無線通信装置１に送信される。受信処理部１２０が、この不在着信データを受信信号３０から取得したときには、無線通信装置１は不在着信を示す図形を表示部１３に表示させても良い。この図形を「第１の不在着信図形」と呼ぶ。
【００５２】
また既に記載したように、受信処理部１２０が、受信信号に含まれる、無線通信装置１宛ての着呼通知データを取得したときには、制御部１０が表示部１３等を制御することによって、他の携帯電話機からの呼び出しがある旨がユーザに通知される。そして、ユーザが、この通知に対して応答する操作を表示部１３の表示面に対して行わない場合には、表示部１３は、不在着信を示す図形を表示する。この図形を「第２の不在着信図形」と呼ぶ。表示部１３は、第２の不在着信図形とは異なる表示態様で、上記の第１の不在着信図形を表示しても良い。例えば、表示部１３は、第２の不在着信図形とは異なる図形を第１の不在着信図形として表示しても良い。
【００５３】
上記の例では、一方のアンテナ１１０の受信感度が他方のアンテナ１１０の受信感度よりも大きくなっているが、２つのアンテナ１１０の受信感度が同じであっても良い。この場合には、間欠受信処理において、１ｘ信号の受信強度にかかわらず常に同じ受信処理部２０が間欠的に１ｘ受信処理を行っても良い。
【００５４】
また、上記の例の間欠受信処理（高）では、第１受信処理部２０ａが１ｘ受信処理を実行している間に、第２受信処理部２０ｂはＬＴＥ受信処理を行っていないが、ＬＴＥ受信処理を行っても良い。
【００５５】
また、上記の例では、一方の受信処理部２０が１ｘサーチ処理を行っている間、他方の受信処理部２０がＬＴＥ受信処理を行っていないが、ＬＴＥ受信処理を行っても良い。
【００５６】
＜動作モードの決定方法＞
本実施の形態では、受信処理部１２０は、第１及び第２動作モードのうち、ユーザによって選択される動作モードで動作する。ユーザが表示部１３の表示面に対して所定の操作を行うと、制御部１０は、受信処理部１２０の動作モードをユーザが選択するための選択画面３００を表示させる。図１０は選択画面３００の一例を示す図である。
【００５７】
図１０に示されるように、選択画面３００には、２つのボタン３０１，３０２が含まれている。「電話優先」という文字列が示されたボタン３０１が選択されると、１ｘサーチ処理が実行される第１動作モードが選択される。一方で、「データ優先」という文字列が示されたボタン３０２が選択されると、１ｘサーチ処理が実行されない第２動作モードが選択される。
【００５８】
ユーザが、選択画面３００に含まれるボタン３０１を指等で選択する操作をタッチパネル１２が検出すると、制御部１０は、受信処理部１２０の動作モードを第１動作モードに決定する。一方で、ユーザが、選択画面３００に含まれるボタン３０２を指等で選択する操作をタッチパネル１２が検出すると、制御部１０は、受信処理部１２０の動作モードを第２動作モードに決定する。間欠受信処理を行う受信処理部１２０は、制御部１０によって決定された動作モードで動作する。
【００５９】
このように、受信処理部１２０の動作モードはユーザによって選択されることから、ユーザは、ＬＴＥが使用されるデータ通信を優先したい場合には、受信処理部１２０を第２動作モードで動作させることができる。一方で、ユーザは、１ｘが使用される音声通信を優先したい場合には、受信処理部１２０を第１動作モードで動作させることができる。
【００６０】
なお、受信処理部１２０の動作モードは他の方法で決定されても良い。以下に、受信処理部１２０の動作モードの決定方法の変形例について説明する。
【００６１】
＜動作モードの決定方法の各種変形例＞
本変形例では、間欠受信処理を行う受信処理部１２０は、原則、１ｘサーチ処理が実行される第１動作モードで動作する。そして、受信処理部１２０は、受信信号３０に含まれる、ＬＴＥで送信される所定の種類のデータを取得する際には、例外的に、１ｘサーチ処理が実行されない第２動作モードで動作する。以後、この所定の種類のデータを「特定データ」と呼ぶ。
【００６２】
特定データとしては、例えば、再送制御されないデータが挙げられる。再生制御されないデータとしては、例えば、ＵＤＰ（User Datagram Protocol）が使用されて送信されるストリーミングデータがある。ＵＤＰで送信されるストリーミングデータは再生制御されないことから、無線通信装置１が当該ストリーミングデータの一部のデータを適切に受信できなかったとしても、その一部のデータは無線通信装置１に再送されない。以下に、ネットワーク３に接続されたサーバ装置４がＵＤＰで送信するストリーミングデータを無線通信装置１が受信する際の当該無線通信装置１の動作について説明する。図１１は当該動作を示すフローチャートである。無線通信装置１はＲＴＳＰ（Real Time Streaming Protocol）を用いてサーバ装置４と通信する。
【００６３】
図１１に示されるように、ステップｓ１において、無線通信装置１は、ＵＲＬ（Uniform Resource Locator）の入力操作など、サーバ装置４が記憶するストリーミングデータに対するアクセスを指示するアクセス指示操作をタッチパネル１２が検出すると、無線通信装置１は、ストリームデータの転送開始を要求する転送開始要求信号をサーバ装置４に送信する。この転送開始要求信号は、ＲＴＳＰでは「ＰＬＡＹメソッド」と呼ばれる。
【００６４】
その後、ステップｓ３において、無線通信装置１は、サーバ装置４から応答信号を受信すると、ステップｓ４において、サーバ装置４に対して、ストリーミングデータの転送の開始を指示する転送開始指示信号を送信する。転送指示開始信号を受信したサーバ装置４は、ＵＤＰを使用してストリーミングデータを送信する。サーバ装置４が送信するストリーミングデータは、基地局２を通じて無線通信装置１に送信される。
【００６５】
無線通信装置１は、ステップｓ５において、アンテナ１１０ａ，１１０ｂを用いて、基地局２から無線送信されるストリーミングデータを受信する。このとき、受信処理部１２０は、間欠受信処理を行って、受信信号に含まれる、ストリーミングデータを取得する。さらに、受信処理部１２０は、第２動作モードで動作する。無線通信装置１は、受信するストリーミングデータを再生して、例えば表示部１３に表示する。
【００６６】
無線通信装置１は、サーバ装置４との間の通信を終了する際には、ステップｓ６において、サーバ装置４に対して、当該通信の終了を要求する終了要求信号を送信する。この終了要求信号は、ＲＴＳＰでは「ＴＥＡＲＤＯＷＮメソッド」と呼ばれる。その後、ステップｓ７において、無線通信装置１は、サーバ装置４から応答信号を受信する。
【００６７】
このように、受信処理部２０は、受信信号に含まれる、再送制御されないＬＴＥデータを間欠受信処理を行って取得する際に、第２動作モードで動作する。再送制御されないＬＴＥデータは、無線通信装置１において適切に取得されない場合であっても再送されないことから、受信処理部１２０は、１ｘサーチ処理の実行中にアンテナ１１０で受信される、再送制御されないＬＴＥデータを、１ｘサーチ処理終了後に取得することはできない。本実施の形態では、受信処理部１２０が、１ｘサーチ処理が実行されない第２動作モードで動作するため、再送制御されないＬＴＥデータの取りこぼしを抑制することができる。
【００６８】
なお、上記の例では、特定データとして、再送制御されないデータが採用されているが、他の種類のデータが採用されてもよい。例えば、データ量がしきい値以上あるいはしきい値よりも大きいファイル（データ）であってもよい。ファイルに対して再送制御が行われる場合には、無線通信装置１が、データ量が大きいファイルを受信するときに、受信処理部１２０が１ｘサーチ処理が実行されない第２動作モードで動作することによって、当該ファイルの取得（ダウンロード）にかかる時間を短縮することができる。
【００６９】
また、特定データは、ユーザによって指定されてもよい。ユーザは、例えば、表示部１３の表示面に表示される所定の画面を利用して、特定データを指定することができる。図１２は、ユーザが特定データを指定するための指定画面４００の一例を示す図である。図１２の例では、ユーザは、指定画面４００を利用して、特定データとして、ストリーミングデータ、データ量がしきい値以上あるいはしきい値よりも大きいファイル等を指定することができる。ユーザは、指定画面４００中の選択ボタン４０１を指等で選択することによって、特定データを指定することができる。図１２の例では、特定データとして、ストリーミングデータが指定されている。
【００７０】
また、受信処理部１２０は、ＬＴＥで送信される特定データを取得する際にユーザによって選択される動作モードで動作しても良い。図１３はこの場合の無線通信装置１の動作を示すフローチャートである。図１３は、図１１と同様に、サーバ装置４がＵＤＰで送信するストリーミングデータを無線通信装置１が受信する際の当該無線通信装置１の動作が示されている。
【００７１】
図１３に示されるように、無線通信装置１では、上述のステップｓ１〜ｓ３が実行される。無線通信装置１は、ステップｓ３において、応答信号を受信すると、ステップｓ１１において、ユーザが受信処理部１２０の動作モードを選択するための選択画面を表示する。ここでは、例えば、上述の図１０に示される選択画面３００が表示される。
【００７２】
ステップｓ１２において、ユーザが、選択画面３００に含まれるボタン３０１を指等で選択する操作をタッチパネル１２が検出すると、制御部１０は、ステップｓ１３において受信処理部１２０の動作モードを第１動作モードに決定する。一方で、ユーザが、選択画面３００に含まれるボタン３０２を指等で選択する操作をタッチパネル１２が検出すると、制御部１０は、ステップｓ１４において、受信処理部１２０の動作モードを第２動作モードに決定する。
【００７３】
ステップｓ１３，ｓ１４が実行されると、無線通信装置１では上述のステップｓ４が実行される。その後、ステップｓ５において、無線通信装置１は、サーバ装置４から送信されるストリームデータを受信する。このとき、間欠受信処理を行う受信処理部２０は、ステップｓ１２においてユーザによって選択された動作モードで動作する。無線通信装置１では、ステップｓ５の後、上述のステップｓ６，ｓ７が実行される。
【００７４】
上記の各例では、受信処理部１２０は、ページング信号を受信するために、間欠的に１ｘ受信処理を実行していたが、他の信号を受信するために、間欠的に１ｘ受信処理を実行してもよい。
【００７５】
また、無線通信装置１は、ＬＴＥ通信の代わりに、他の無線通信方式に応じた通信を行っても良い。無線通信装置１は、ＬＴＥ通信の代わりに、例えば、ＷｉＦｉ（Wireless Fidelity）あるいはＷｉＭＡＸ（Worldwide Interoperability for Microwave Access）に応じた通信を行っても良い。また無線通信装置１は、１ｘ通信の代わりに、他の無線通信方式に応じた通信を行っても良い。無線通信装置１は、１ｘ通信の代わりに、例えば、Ｗ−ＣＤＭＡ (Wideband Code Division Multiple Access)に応じた通信を行っても良い。
【００７６】
以上のように、無線通信装置１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【００７７】
１  無線通信装置
１３  表示部
１１０，１１０ａ，１１０ｂ  アンテナ
１２０  受信処理部
３００  選択画面
【図１】
2016158139.tif 000003
【図２】
2016158139.tif 000004
【図３】
2016158139.tif 000005
【図４】
2016158139.tif 000006
【図５】
2016158139.tif 000007
【図６】
2016158139.tif 000008
【図７】
2016158139.tif 000009
【図８】
2016158139.tif 000010
【図９】
2016158139.tif 000011
【図１０】
2016158139.tif 000012
【図１１】
2016158139.tif 000013
【図１２】
2016158139.tif 000014
【図１３】
2016158139.tif 000015